(57)【要約】【課題】攪拌機能と水切り機能を一体化し炊飯作業の効率を高めた米とぎ水切り具を提供する。【解決手段】持ち手となる柄部４と米をとぐための攪拌部２とからなり、攪拌部２の一部に水切り部３を兼ね備えた米とぎ水切り具１であって、攪拌部２は、少なくとも２本以上の略同一形状の折り曲げ線材２ａの配設により先端部２ｂ、本体部２ｃ及び手元部２ｄとから構成され、先端部２ｂは各線材２ａが折り曲げられた頂点で重ね合わされることにより半球面形状あるいは半楕円球面形状をなし、本体部２ｃは所定間隔をあけて列をなして配設され、手元部２ｄは柄部４に収束されるように本体部２ｃから折り曲げられ、さらに各線材２ａの端部は柄部４の内部に束ねられて収納固定されており、また水切り部３は、網３ａが攪拌部２の本体部２ｃ及び手元部２ｄの内周の一部を覆う状態で周方向に連続的に取り付けられている。【選択図】図１
0003232225.tif 000002
【実用新案登録請求の範囲】
【請求項１】
持ち手となる柄部と米をとぐための攪拌部とからなり、前記攪拌部の一部に水切り部を兼ね備えた米とぎ水切り具であって、前記攪拌部は、少なくとも２本以上の略同一形状の折り曲げ線材の配設により先端部、本体部及び手元部とから構成され、前記先端部は各線材が折り曲げられた頂点で重ね合わされることにより半球面形状あるいは半楕円球面形状をなし、本体部は所定間隔をあけて列をなして配設され、手元部は前記柄部に収束されるように本体部から折り曲げられ、さらに各線材の端部は前記柄部の内部に束ねられて収納固定されており、また前記水切り部は、網が前記攪拌部の本体部及び手元部の内周の一部を覆う状態で周方向に連続的に取り付けられていることを特徴とする米とぎ水切り具。
【請求項２】
前記攪拌部の線材は、樹脂製、樹脂被膜付金属製又はステンレス製のいずれか一つが用いられ、また前記水切り部の網は米が通過しないメッシュとされていることを特徴とする請求項１記載の米とぎ水切り具。
【請求項３】
前記水切り部に取り付けられる網は、攪拌部の本体部と手元部においては周長の１／２乃至２／３の弧の長さで各線材間に収まる幅とし、また本体部においては手元部との境位置から長手方向の長さの１／１乃至２／３の長さを有していることを特徴とする請求項１又は２記載の米とぎ水切り具。
【考案の詳細な説明】
【技術分野】
【０００１】  本考案は、米をといで水切りをする時に使う、米とぎ機能と水切り機能とが一体となって形成された米とぎ水切り具に関するものである。
【背景技術】
【０００２】  従来、米をとぐ時は電気釜や容器の中に米と水を入れて直接手を入れて攪拌し、手のひらで米を受けて水切りをしていた。又、他の方法として、市販の泡立て具で攪拌してといだ後、市販の水切りストッパーやザル等で受けて米の流失を防いでいた。
【先行技術文献】
【特許文献】
【０００３】
【特許文献１】特開２０１０−１３１３４５号公報
【特許文献２】特開２０１５−２９８９５号公報
【考案の概要】
【考案が解決しようとする課題】
【０００４】  米とぎ具に関する先行技術文献として例えば特許文献１に示すような公知技術があるが、これは攪拌機能だけで水切り機能は付帯していないため上述のように攪拌と水切りの二つの用具を交互に持ち替えて作業を行なう必要があり不便で効率が悪かった。さらに手指の隙間からの流失による米の損失や、冷たい水による手の荒れやイライラで作業効率が低下するという問題もあった。また、特許文献２に示すような攪拌機能と水切り機能とを併せ持った米とぎ具も公知であるが、撹拌機能と水切り機能のそれぞれの機能を十分に果たしているとは言い難かった。
本考案は、上記課題を解決するため、一つの用具で攪拌作業と水切り作業を交互に効率よく確実に行うことのできる米とぎ水切り具を提供することを目的とする。
【課題を解決するための手段】
【０００５】  本考案の米とぎ水切り具は、持ち手となる柄部と米をとぐための攪拌部とからなり、前記攪拌部の一部に水切り部を兼ね備えた米とぎ水切り具であって、前記攪拌部は、少なくとも２本以上の略同一形状の折り曲げ線材の配設により先端部、本体部及び手元部とから構成され、前記先端部は各線材が折り曲げられた頂点で重ね合わされることにより半球面形状あるいは半楕円球面形状をなし、本体部は所定間隔をあけて列をなして配設され、手元部は前記柄部に収束されるように本体部から折り曲げられ、さらに各線材の端部は前記柄部の内部に束ねられて収納固定されており、また前記水切り部は、網が前記攪拌部の本体部及び手元部の内周の一部を覆う状態で周方向に連続的に取り付けられていることを特徴としている。
【考案の効果】
【０００６】  本考案の米とぎ水切り具を使用すれば、攪拌機能と水切り機能が一体化しているので、米攪拌後に炊飯器の釜等の縁に押し当てて、米の量に合わせて傾けて水切りを数回繰り返すことにより、これ一つで米とぎと水切り作業を交互に確実に行うことができる。また、手指の隙間からの流失による米の損失も無くなり、さらに手指の荒れも防止することができる。
【図面の簡単な説明】
【０００７】
【図１】本考案に係る米とぎ水切り具の斜視図である。
【図２】本考案の攪拌の使用状態を表す斜視図である。
【図３】本考案の水切りの使用状態を表す斜視図である。
【考案を実施するための形態】
【０００８】  以下、本考案に係る米とぎ水切り具の実施の形態について図１〜図３に基づいて説明する。
１は米とぎ水切り具の本体で、３本の略同一形状の折り曲げ線材２ａの配設により先端部２ｂ、本体部２ｃ及び手元部２ｄとから構成され、先端部２ｂは各線材２ａで折り曲げられた頂点で重ね合わされることにより半球面形状あるいは半楕円球面形状をなしている。本体部２ｃは等間隔をあけて列をなして配設されており、手元部２ｄは柄部４に収束されるように本体部２ｃから折り曲げられ、さらに各線材２ａの端部は柄部４の内部に束ねられて収納固定されており、また水切り部３は、網３ａが攪拌部２の本体部２ｃ及び手元部２ｄの内周の一部を覆う状態で周方向に連続的に取り付けられている。なお、柄部４の材質は、樹脂製、金属製、木製等がよい。
【０００９】  攪拌部２の線材２ａは、実施例では樹脂被膜付金属製としているが、請求項２に記載のように樹脂製又はステンレス製でもよい。また水切り部３の網３ａは米が通過しないメッシュを使用すれば米の流失を防ぐことができる。
【００１０】  また、水切り部３に取り付けられる網３ａは、請求項３に記載のように攪拌部２の本体部２ｃと手元部２ｄにおいては周長の１／２乃至２／３の弧の長さで各線材間に収まる幅とすれば網３ａの固定を線材間で行うことができる。また網３ａの長手方向Ｌの長さは、本体部２ｃにおいては手元部２ｄとの境位置からの１／１乃至２／３の長さとすれば効果的に水切りを行うことができる。
【００１１】  次に本考案に係る米とぎ水切り具１の使用方法を説明する。
作業者は米とぎ水切り具１の柄部４を片手で持ち、もう一方の手で炊飯器の釜の上端部を保持して米を攪拌し、攪拌後に釜の上縁部に米とぎ水切り具１を押し当て米の量に合わせて傾けて水切りを行う。必要に応じてこれらの作業を数回繰り返す。
本考案に係る米とぎ水切り具１を用いることで作業者は水に触れることなく米とぎと水切り作業を交互に確実に行うことができる。また、手指の隙間からの流失による米の損失も無くなり、さらに手指の荒れも防止することができる。
【符号の説明】
【００１２】    １    米とぎ水切り具
２    攪拌部
２ａ  線材
２ｂ  先端部
２ｃ  本体部
２ｄ  手元部
３    水切り部
３ａ  網
４    柄部（持ち手）
Ｌ    長手方向
【図１】
0003232225.tif 000003
【図２】
0003232225.tif 000004
【図３】
0003232225.tif 000005